(57)【要約】【課題】コストの増加を抑え、且つ、照明装置を扉の厚みに応じた前後位置に配置することができるキャビネットを提供する。【解決手段】前方に開口した収納空間３４が形成されたキャビネット本体３と、キャビネット本体３の前側に設けられて収納空間３４を開閉可能に閉塞する扉８と、キャビネット本体３の前側に扉８と並べて設けられた照明ユニット４とを備える。照明ユニット４が、キャビネット本体３に対して取り付けられた取付ベース６と、取付ベース６の前側に取り付けられた照明装置５とを有する。【選択図】図１
2014223282.tif 000002
【特許請求の範囲】
【請求項１】
前方に開口した収納空間が形成されたキャビネット本体と、
前記キャビネット本体の前側に設けられて前記収納空間を開閉可能に閉塞する扉と、
前記キャビネット本体の前側に前記扉と並べて設けられた照明ユニットとを備え、
前記照明ユニットが、
前記キャビネット本体に対して取り付けられた取付ベースと、
前記取付ベースの前側に取り付けられた照明装置とを有することを特徴とするキャビネット。
【請求項２】
前記取付ベースが、異なる前後長さを有する複数種類の取付ベースの中から、前記キャビネット本体に設けられる扉に応じて選択されたものであることを特徴とする請求項１に記載のキャビネット。
【請求項３】
前記照明装置は前後方向と直交する方向に延びる長形であり、前記取付ベースは前記照明装置に沿って延びる長形であり、前記取付ベースは前方に開口した収納溝を有し、前記照明装置が前記収納溝の前側から嵌め込まれたことを特徴とする請求項１又は請求項２に記載のキャビネット。
【請求項４】
前記取付ベースは規制部を有し、前記照明装置は前記規制部によって前後方向の移動が規制されたことを特徴とする請求項３に記載のキャビネット。
【請求項５】
前記照明装置は前記規制部に対して前記取付ベースの長さ方向にスライド可能であることを特徴とする請求項４に記載のキャビネット。
【請求項６】
前記取付ベースは、前記取付ベースよりも長く且つ長さ方向と直交する断面の形状が前記取付ベースと同一の長尺部材を切断して形成されたことを特徴とする請求項３乃至５のいずれか１項に記載のキャビネット。
【発明の詳細な説明】
【技術分野】
【０００１】
本発明は、照明装置を備えたキャビネットに関する。
【背景技術】
【０００２】
特許文献１には、キャビネット本体の収納空間を閉塞する扉に照明装置が設けられたミラーキャビネットが開示されている。
【先行技術文献】
【特許文献】
【０００３】
【特許文献１】特開２００７−９８０３４号公報
【発明の概要】
【発明が解決しようとする課題】
【０００４】
ところで、キャビネット本体の前側に扉と並べて照明装置を設けるにあたって、例えば扉の厚みが大きい場合には、照明装置が扉に対して後寄りの位置に配置されやすい。また、扉の厚みが小さい場合には、照明装置が扉に対して前寄りの位置に配置されやすい。このため、キャビネット本体に設けられる扉の厚みに応じて、照明装置が扉よりも前側に大きく突出したり、扉よりもかなり後側に配置されたりして、キャビネットの外観が大きく変わる可能性がある。また、キャビネット本体に設けられる扉の厚みに応じて照明装置の扉に対する前後位置が変わるため、照明装置の利用時における利用者に与える印象が変わることも懸念される。また、照明装置の前後長さを扉の厚みに応じて変化させることも考えられるが、この場合は厚みのことなる扉毎に照明装置が必要となり、キャビネットのコストが高くなる可能性がある。
【０００５】
本発明は前記事情に鑑みてなされたものであって、コストの増加を抑え、且つ、照明装置を扉に応じた前後位置に配置できるキャビネットを提供することを課題とする。
【課題を解決するための手段】
【０００６】
上記課題を解決するために本発明のキャビネットは、前方に開口した収納空間が形成されたキャビネット本体と、前記キャビネット本体の前側に設けられて前記収納空間を開閉可能に閉塞する扉と、前記キャビネット本体の前側に前記扉と並べて設けられた照明ユニットとを備え、前記照明ユニットが、前記キャビネット本体に対して取り付けられた取付ベースと、前記取付ベースの前側に取り付けられた照明装置とを有することを特徴とする。
【０００７】
また、前記取付ベースが、異なる前後長さを有する複数種類の取付ベースの中から、前記キャビネット本体に設けられる扉に応じて選択されたものであることが好ましい。
【０００８】
また、前記照明装置は前後方向と直交する方向に延びる長形であり、前記取付ベースは前記照明装置に沿って延びる長形であり、前記取付ベースは前方に開口した収納溝を有し、前記照明装置が前記収納溝の前側から嵌め込まれることが好ましい。
【０００９】
また、前記取付ベースは規制部を有し、前記照明装置は前記規制部によって前後方向の移動が規制されることが好ましい。
【００１０】
また、前記照明装置は前記規制部に対して前記取付ベースの長さ方向にスライド可能であることが好ましい。
【００１１】
また、前記取付ベースは、前記取付ベースよりも長く且つ長さ方向と直交する断面の形状が前記取付ベースと同一の長尺部材を切断して形成されることが好ましい。
【発明の効果】
【００１２】
本発明にあっては、共通の照明装置を扉の厚みに応じた前後位置に配置できる。また、共通の照明装置を利用できるので、コストの増加を抑制できる。
【図面の簡単な説明】
【００１３】
【図１】本発明の一実施形態におけるキャビネットの要部水平断面図であって、図３のＡ部拡大図である。
【図２】本発明の一実施形態のキャビネットを具備する洗面化粧台の正面図である。
【図３】本発明の一実施形態のキャビネットの水平断面図である。
【図４】本発明の一実施形態の左側の扉を取り外したキャビネットの正面図である。
【図５】本発明の一実施形態のキャビネットの扉を取り外した状態の要部斜視図である。
【図６】本発明の一実施形態のキャビネットの扉を取り外した状態の要部正面図である。
【図７】図６のＢ−Ｂ′線断面図である。
【図８】本発明の一実施形態の照明装置の底面図である。
【図９】本発明の一実施形態の照明ユニットの分解斜視図である。
【図１０】本発明の一実施形態の照明装置をキャビネットに取り付けるときの様子を示した斜視図である。
【図１１】厚みの大きい扉とこれに対応する取付ベースを取り付けたときの図１に対応する断面図である。
【発明を実施するための形態】
【００１４】
以下、添付図面に基づいて本発明の一実施形態について説明する。図２に本実施形態のキャビネット１を含む洗面化粧台を示す。なお、以下では、図２に示すキャビネット１の設置状態における方向を基準にして記述する。すなわち、以下では、図２において、Ｄ１に示す方向を上方、Ｄ２に示す方向を下方と定義して記述する。また、以下では、図３においてＤ３に示す方向を前方、Ｄ４に示す方向を後方、Ｄ５に示す方向を右方、Ｄ６に示す方向を左方と定義して記述する。
【００１５】
図２に示す洗面化粧台は、洗面台２とキャビネット１を備えている。洗面台２は、後面側を部屋の壁に沿わせた状態で床上に設置される。
【００１６】
洗面台２は、洗面ボウル２０を備えている。洗面ボウル２０は、洗面台２の上部に設けられている。洗面ボウル２０の上面には、下方に凹み上方に開口したボウル部（不図示）が形成されている。洗面ボウル２０の上面の後端部には、上方に突出した立ち上がり壁部２００が形成されている。
【００１７】
本実施形態のキャビネット１は、図３に示すように、キャビネット本体３、複数の照明ユニット４、及び複数の扉８を備えている。
【００１８】
キャビネット本体３は、例えば合成樹脂製である。なお、キャビネット本体３の材料は、合成樹脂に限られない。
【００１９】
キャビネット１は、例えばキャビネット本体３の後面側を部屋の壁に沿わせた状態で、複数のねじ等を用いて壁に固定される。なお、キャビネット本体３は、部屋の壁に対して固定されなくてもよい。
【００２０】
キャビネット本体３は、洗面台２の立ち上がり壁部２００の上方に配置される。キャビネット本体３は、洗面台２の立ち上がり壁部２００よりも前方に突出して配置される。
【００２１】
図４に示すように、本実施形態のキャビネット本体３は、天井部３０、底部３１、一対の側壁部３２、後壁部３３、複数の収納空間３４、及び複数の仕切壁部３５（図３）を有している。以下、特に区別する場合には、キャビネット本体３の両側の側壁部３２のうち、右側の側壁部３２を側壁部３２Ａと記載し、左側の側壁部３２を側壁部３２Ｂと記載する。
【００２２】
天井部３０の上面は、キャビネット本体３の上面である。底部３１の下面は、キャビネット本体３の下面である。両側壁部３２の外面は、キャビネット本体３の外側面である。後壁部３３の後面は、キャビネット本体３の後面である。
【００２３】
図３に示すように、複数の収納空間３４は左右に並べて形成されている。本実施形態では、収納空間３４がキャビネット本体３の左右方向における両側と中央の計三箇所に設けられている。各収納空間３４は前方に向かって開口している。
【００２４】
以下、特に区別する場合には、キャビネット本体３の右側に形成された収納空間３４を収納空間３４Ａと記載する。また、キャビネット本体３の左右方向における中央に形成された収納空間３４を収納空間３４Ｂと記載する。また、キャビネット本体３の左側に形成された収納空間３４を収納空間３４Ｃと記載する。
【００２５】
キャビネット本体３の両側壁部３２の間には、２つの仕切壁部３５が形成されている。両仕切壁部３５は、左右に並んでいる。各仕切壁部３５は、後壁部３３から前方に向かって突出している。すなわち、仕切壁部３５は、後壁部３３の両側壁部３２の間の部分における左右両側に形成されている。各仕切壁部３５は縦長である。各仕切壁部３５は、天井部３０から底部３１にまで亘っている。
【００２６】
各仕切壁部３５の前面は、天井部３０の前面及び底部３１の前面よりも後方に位置している。なお、天井部３０の前面と底部３１の前面は、前後方向において同じ位置に配置されている。
【００２７】
以下、特に区別する場合には、キャビネット本体３の右側に形成された仕切壁部３５を仕切壁部３５Ａと記載し、キャビネット本体３の左側に形成された仕切壁部３５を仕切壁部３５Ｂと記載する。
【００２８】
キャビネット本体３の右側の収納空間３４Ａは、正面視で、右側の側壁部３２Ａ、右側の仕切壁部３５Ａ、天井部３０、及び底部３１によって囲まれた空間である。キャビネット本体３の中央の収納空間３４Ｂは、正面視で、両仕切壁部３５Ａ、３５Ｂ、天井部３０、及び底部３１によって囲まれた空間である。右側の収納空間３４Ａと中央の収納空間３４Ｂの間には、右側の仕切壁部３５Ａが位置している。すなわち、右側の仕切壁部３５Ａは、右側の収納空間３４Ａと中央の収納空間３４Ｂの間の部分である。
【００２９】
キャビネット本体３の左側の収納空間３４Ｃは、正面視で、左側の側壁部３２Ｂ、左側の仕切壁部３５Ｂ、天井部３０、及び底部３１によって囲まれた空間である。左側の仕切壁部３５Ｂは、左側の収納空間３４Ｃと中央の収納空間３４Ｂの間に位置している。すなわち、左側の仕切壁部３５Ｂは、左側の収納空間３４Ｃと中央の収納空間３４Ｂの間の部分である。
【００３０】
このようにキャビネット本体３は、天井部３０、底部３１、両側の側壁部３２、及び後壁部３３で囲まれた空間が、縦長の２つの仕切壁部３５で仕切られている。これにより、キャビネット本体３には、内部が収納空間３４となった収納部が複数形成されている。
【００３１】
図１〜図３に示すように、各照明ユニット４は、キャビネット本体３の前側に設けられている。本実施形態では、各仕切壁部３５に照明ユニット４が設けられている。
【００３２】
図１に示すように、各照明ユニット４は、取付ベース６と照明装置５を備えている。各照明ユニット４の取付ベース６は上下方向に延びる長形（縦長）であって、溝形に形成されている。
【００３３】
各照明ユニット４の取付ベース６は、後面を仕切壁部３５の前面に当てて接した状態で仕切壁部３５に取り付けられている。
【００３４】
各取付ベース６は、例えば、アルミニウム、鉄、銅等の熱伝導性の優れた金属材料から形成される。各照明ユニット４の取付ベース６は、断面形状が前方に開口する溝形に形成されている。各照明ユニット４の取付ベース６は、後述するビス用孔６００が形成された箇所を除いて、長さ方向と直交する断面の形状が長さ方向に亘って一様である。各照明ユニット４の取付ベース６は、取付ベース６よりも長く、且つ長さ方向と直交する断面の形状が取付ベース６と同一の長尺部材を切断して形成されたものである。なお、一の長尺部材から形成される取付ベース６は、１本であってもよいし、複数本であってもよい。
【００３５】
各取付ベース６は、後片部６１、及び一対の側片部６０を有している。後片部６１は、溝形の取付ベース６の奥部分を構成している。後片部６１の後面は、取付ベース６の後面である。側片部６０は、後片部６１の両側（詳しくは両側端部）から前方に向かって突出している。各側片部６０の外面は、取付ベース６の外側面である。
【００３６】
各取付ベース６は、前方及び上下に開口した収納溝６２を有している。各取付ベース６の収納溝６２は、両側片部６０と後片部６１とで形成されている。収納溝６２は、取付ベース６の上下方向の全長に亘っている。収納溝６２の奥面は、後片部６１の前面である。収納溝６２の内側面は、側片部６０の内面である。
【００３７】
本実施形態のキャビネット本体３は、図１又は図５に示す、複数の凹部３７及び複数の嵌込溝部３６をさらに有している。
【００３８】
図５に示すように、凹部３７は、キャビネット本体３の天井部３０の上面において各仕切壁部３５に対応する箇所に形成されている。各凹部３７は下方に向かって凹んでいる。各凹部３７の底面は、天井部３０の上面の一部である。各凹部３７は平面視矩形状に形成されており、上方及び前方に開口している。
【００３９】
嵌込溝部３６は、キャビネット本体３の底部３１及び天井部３０において各仕切壁部３５に対応する箇所の前面に形成されている。各嵌込溝部３６は、前方に開口している。以下、特に区別する場合には、天井部３０に形成された嵌込溝部３６（図１０参照）を嵌込溝部３６Ａと記載し、底部３１に形成された嵌込溝部３６（図１参照）を嵌込溝部３６Ｂと記載する。
【００４０】
天井部３０に形成された各嵌込溝部３６Ａは、図１０に示すように、各凹部３７の底面の前端部の一側端部を構成する部分に形成されている。各嵌込溝部３６Ａは、天井部３０を上下に貫通しており、各嵌込溝部３６Ａの上開口部は、凹部３７の底面に形成されている。各嵌込溝部３６Ａは、上開口部から上方に向かって開口している。
【００４１】
底部３１に形成された各嵌込溝部３６Ｂは、図１に示すように、底部３１を上下に貫通している。各嵌込溝部３６Ｂの下開口部は、底部３１の下面に形成されている。各嵌込溝部３６Ｂは、下開口部から下方に向かって開口している。
【００４２】
各取付ベース６の上端部は、図５に示すように、キャビネット本体３の天井部３０の嵌込溝部３６Ａに嵌め込まれている。各取付ベース６の収納溝６２は、上方に向かって開口し、対応する凹部３７に通じている。
【００４３】
各取付ベース６の下端部は、図１に示すように、キャビネット本体３の底部３１の嵌込溝部３６Ｂに嵌め込まれている。各取付ベース６の収納溝６２は、下方に向かって開口し、キャビネット本体３の底部３１の下側に通じている。
【００４４】
各取付ベース６の後片部６１は、前方より挿入したねじ１３によって、仕切壁部３５に固定されている。これにより、キャビネット本体３において左右に並ぶ収納空間３４の間の部位である仕切壁部３５には、前方に開口する収納溝６２が設けられている。
【００４５】
各取付ベース６の両側片部６０の前端部は、キャビネット本体３の天井部３０及び底部３１よりも前方に突出している。
【００４６】
各照明装置５は、上下方向に延びる長形（縦長）である。各照明装置５は、対応する取付ベース６の前側に取り付けられている。すなわち、各照明装置５は、対応する取付ベース６を介してキャビネット本体３の前側に取り付けられている。
【００４７】
各照明装置５は、図９に示すように、導光部材５１と光源ブロック５４を備えている。本実施形態の各照明装置５は、さらに、ホルダー５０、下キャップ５２（図８参照）、上キャップ５３、放熱シート５５、放熱板５６、表面カバー５７、及び放熱板カバー５８を備えている。
【００４８】
各照明装置５のホルダー５０は、上下に延びる縦長の部材である。各ホルダー５０は例えば合成樹脂製である。
【００４９】
各照明装置５のホルダー５０は、対応する取付ベース６と上下長さが略同じである。各照明装置５のホルダー５０は、保持溝部５００を有している。各保持溝部５００は、前方に向かって開口している。各保持溝部５００は、ホルダー５０の上下に亘って形成されている。
【００５０】
各照明装置５の導光部材５１は、縦長棒状に形成されている。各導光部材５１は、長さ方向と直交する断面の形状が長さ方向に亘って一様である。各導光部材５１の上下長さは、対応するホルダー５０の上下長さと略同じである。各導光部材５１は、例えばアクリル樹脂やポリカーボネート樹脂等の透明な樹脂から形成されている。各導光部材５１は、透光性を有している。各導光部材５１は、図１に示すように保持溝部５００内に嵌め込まれることで、対応するホルダー５０に保持されている。
【００５１】
各導光部材５１は、図９に示すように、入光部５１０、反射部５１１、及び出光部５１２を有している。各導光部材５１の上端面は、ホルダー５０の保持溝部５００の上開口部から、ホルダー５０の上方に向かって露出している。本実施形態では、各導光部材５１の上端面が入光部５１０である。各導光部材５１の入光部５１０は、光源ブロック５４が有する光源５４１から発せられた光が入射する位置に配置されている。
【００５２】
各導光部材５１の後面には、図１に示すように、反射部５１１が設けられている。各導光部材５１の反射部５１１は、例えば導光部材５１の後面に印刷や蒸着によって反射性の物質を設けたり、微細な凹凸を設けたり、二色成形によって反射部分を設けたりすることによって形成される。
【００５３】
各導光部材５１の入光部５１０から導光部材５１に入射した光は、各導光部材５１の内部を下方に向かって進行する過程で反射部５１１において拡散して前側に反射する。換言すると、各導光部材５１の反射部５１１は、入光部５１０から導光部材５１に入射した光を、拡散して前側に反射するように構成されている。
【００５４】
各導光部材５１の出光部５１２は、導光部材５１の前方に臨んだ前面である。各導光部材５１の出光部５１２は、ホルダー５０の保持溝部５００の前開口部から、ホルダー５０の前方に向かって露出している。各導光部材５１の出光部５１２は、反射部５１１で反射した光を前側に出射するように構成されている。
【００５５】
各照明装置５の下キャップ５２（図８参照）は、ホルダー５０の下端面に沿って配置されている。各照明装置５の下キャップ５２は、図８に示すねじ１４によってホルダー５０の下端部に取り付けられている。各照明装置５の下キャップ５２は、ホルダー５０に保持された導光部材５１の直下に位置している。各照明装置５の下キャップ５２は、導光部材５１の下方への移動を規制する。
【００５６】
各照明装置５の図９に示す上キャップ５３は、ホルダー５０の上端部に被せ付けられている。これにより、各ホルダー５０の上端部は、対応する上キャップ５３の内側に嵌め込まれている。
【００５７】
各照明装置５の上キャップ５３は、ホルダー５０に保持された導光部材５１の直上に位置している。各照明装置５の上キャップ５３は、導光部材５１の上方への移動を規制する。
【００５８】
各照明装置５の上キャップ５３は、窓部５３０を有している。各上キャップ５３の窓部５３０は、上キャップ５３において導光部材５１の入光部５１０に対向する箇所に形成されている。各上キャップ５３の窓部５３０は、例えば孔又は切欠である。各上キャップ５３の窓部５３０は、上下に貫通している。
【００５９】
各照明装置５の上キャップ５３上には、光源ブロック５４が有する回路基板５４０がその一面を下に向けて載置されている。各照明装置５の回路基板５４０の下面の一部は、対応する上キャップ５３の窓部５３０に対向している。
【００６０】
各照明装置５の回路基板５４０には、光源５４１が設けられている。本実施形態では、
各照明装置５の光源ブロック５４は、回路基板５４０と光源５４１で構成されている。光源５４１は、点光源であり、例えば発光ダイオードである。なお、光源５４１は、発光ダイオード以外の点光源であってもよいし、点光源以外の光源であってもよい。
【００６１】
各照明装置５の光源５４１は、対応する回路基板５４０の下面において窓部５３０に臨む部分に実装されている。
【００６２】
各照明装置５の光源５４１は、上キャップ５３の窓部５３０に配置され、導光部材５１の入光部５１０に対向している。各照明装置５の光源５４１は、下方に向かって光を照射する。なお、本実施形態の光源５４１は、光源ブロック５４の発熱量を抑えるために回路基板５４０に一つだけ設けられているが、複数設けられてもよい。
【００６３】
各照明装置５の回路基板５４０の上面には、放熱シート５５が積層されている。本実施形態の各放熱シート５５は、回路基板５４０の上面に直接積層されている。放熱シート５５は、例えばシリコーン等の熱伝導性の優れた材料から形成されている。
【００６４】
各照明装置５の回路基板５４０上（詳しくは放熱シート５５上）には、放熱板５６が配置されている。各放熱板５６は、光源ブロック５４で発生した熱を放散する放熱部である。
【００６５】
各照明装置５の放熱板５６は、放熱性に優れた材料から形成される。各放熱板５６は、例えばアルミニウム等の金属製である。なお、各放熱板５６は、例えば鉄、銅等のアルミニウム以外の材料から形成されてもよい。
【００６６】
各照明装置５の放熱板５６は、平面視略矩形状に形成されている。各放熱板５６は、突出部５６０を有している。各放熱板５６の突出部５６０は、放熱板５６の前端部の一方の側端部に形成されている。各突出部５６０は、放熱板５６の側端部から前方に向かって突出している。
【００６７】
平面視略矩形状の各放熱板５６の突出部５６０側の角部において、突出部５６０を含めた前側の部分は挟持部５６１である。また、平面視略矩形状の各放熱板５６の突出部５６０側の角部において、挟持部５６１よりも後側の部分は固定部５６２である。
【００６８】
各放熱板５６の固定部５６２は、対応する上キャップ５３上に直接載置されている。各放熱板５６の固定部５６２には、固着具である複数のビス７０が上方から挿通されている。これらビス７０は、上キャップ５３を通して対応するホルダー５０にねじ込まれている。これにより、各放熱板５６は、対応するホルダー５０に取り付けられている。各照明装置５の上キャップ５３は、ホルダー５０とホルダー５０にビス７０で取り付けられた固定部５６２との両者で上下に挟み込まれて固定されている。
【００６９】
各照明装置５の放熱板５６の挟持部５６１は、放熱シート５５を介して回路基板５４０上に配置されている。各照明装置５にあっては、挟持部５６１と上キャップ５３によって回路基板５４０と放熱シート５５が上下に挟み込まれている。これにより、各照明装置５の放熱板５６は、放熱シート５５を介して回路基板５４０に熱的に接続されている。
【００７０】
各照明装置５において光源ブロック５４の光源５４１が発光すると、光源５４１及び光源５４１が実装された回路基板５４０は発熱する。このように光源ブロック５４において発生した熱は、放熱シート５５を介して放熱板５６に伝わり、放熱板５６から放散される。
【００７１】
各照明装置５の表面カバー５７の形状は、上下方向に延びる縦長である。各表面カバー５７は例えば合成樹脂製である。各表面カバー５７の上下長さは、対応するホルダー５０の上下長さ及び導光部材５１の上下長さと略同じである。
【００７２】
各照明装置５の表面カバー５７は、図１に示すように、後方に開口した溝形である。本実施形態の各照明装置５の表面カバー５７は、長さ方向と直交する断面の形状が長さ方向に亘って一様である。
【００７３】
各照明装置５の表面カバー５７は、前片部５７０と、一対の掛止片部５７１を有している。前片部５７０の前面は、表面カバー５７の前面である。掛止片部５７１は、前片部５７０の両側から、後方に向かって突出している。
【００７４】
各照明装置５の表面カバー５７は、両掛止片部５７１をホルダー５０の前部に引っ掛けて固定（掛止）することで、導光部材５１の前面を覆うようにホルダー５０に前側から取り付けられる。各照明装置５の表面カバー５７の前片部５７０は、照明装置５の前端部に位置している。各表面カバー５７の前面は、照明装置５の前面である。
【００７５】
各照明装置５の表面カバー５７は、透光性を有している。各照明装置５の導光部材５１の出光部５１２から出射された光は、表面カバー５７の前片部５７０を透過してキャビネット本体３の前側に出射する。すなわち、各表面カバー５７は、照明装置５において前方に光を出す発光部分となる。
【００７６】
図９に示すように、各照明装置５の放熱板カバー５８は、下方に開口した厚みの薄い箱状に形成されている。各放熱板カバー５８は、図６に示すように、放熱板５６に被せ付けられている。各照明装置５の放熱板５６は、放熱板カバー５８に嵌め込まれ、放熱板カバー５８に収納されている。
【００７７】
各照明装置５の放熱板カバー５８は、図９に示すように、突曲部５８２と複数の掛止部５８３を有している。各放熱板カバー５８の突曲部５８２は、放熱板カバー５８の前面部５８０の側端部に位置している。各放熱板カバー５８の突曲部５８２の水平断面形状は、後方に開口した溝形である。各放熱板カバー５８の突曲部５８２は、放熱板カバー５８から前方に突出するように屈曲している。各放熱板カバー５８の突曲部５８２には、放熱板５６の突出部５６０が収納されている。
【００７８】
各放熱板カバー５８の両側面部５８１の下縁の前後には、掛止部５８３が形成されている。各掛止部５８３は、放熱板カバー５８の側面部５８１から下方に向かって突出している。
【００７９】
図６に示すように、各掛止部５８３は、爪部５８４を有している。爪部５８４は、各掛止部５８３の下部に形成されている。各爪部５８４は、放熱板カバー５８の内側方（左右方向の内側）に向かって突出している。
【００８０】
各掛止部５８３の爪部５８４は、対応する放熱板５６の側縁部の下面に引っ掛けて固定されている。これにより放熱板カバー５８は、放熱板５６に取り付けられている。
【００８１】
図１に示すように、照明装置５のホルダー５０は、取付ベース６の収納溝６２に嵌め込まれている。
【００８２】
各照明装置５のホルダー５０は、被規制部５０３を有している。各照明装置５の被規制部５０３は、一対の被掛止部５０４を有している。各照明装置５のホルダー５０の後面の両側には、引掛片部５０１が形成されている。各引掛片部５０１は、後方に向かって突出している。被掛止部５０４は、ホルダー５０の両引掛片部５０１に形成されている。各被掛止部５０４は、引掛片部５０１の後端部から、ホルダー５０の幅方向（左右方向）の外側に向かって突出している。
【００８３】
一方、各取付ベース６は、規制部６３を有している。規制部６３は、対応する照明装置５の被規制部５０３の前後方向の移動を規制している。
【００８４】
本実施形態の各規制部６３は、一対の掛止部６３０と、一対の後止部６３１を有している。掛止部６３０は、取付ベース６の各側片部６０に形成されている。各掛止部６３０は、側片部６０の後部から、取付ベース６の幅方向（左右方向）の内側に向かって突出している。
【００８５】
後止部６３１は、取付ベース６の後片部６１の左右両側に形成されている。各後止部６３１は、後片部６１から前方に向かって突出している。各後止部６３１は、対応する掛止部６３０の後方に位置している。
【００８６】
各引掛片部５０１の被掛止部５０４は、取付ベース６の対応する掛止部６３０と、対応する後止部６３１の間に嵌め込まれる。これにより、各被掛止部５０４は、前後方向の移動が規制される。すなわち、各被掛止部５０４は、取付ベース６の対応する掛止部６３０の後面に引っ掛けられて前方への移動が規制される。また、各被掛止部５０４は、対応する後止部６３１に対向し、この後止部６３１の前面の近傍に配置される又は接する。これにより、各被掛止部５０４は、後方への移動が規制される。各照明装置５の被規制部５０３は、対応する取付ベース６の規制部６３に対して上下方向にスライド可能である。すなわち、取付ベース６の規制部６３は対応する照明装置５の被規制部５０３の前後方向及び左右方向の移動のみを規制し、各照明装置５の被規制部５０３は、対応する取付ベース６の規制部６３に対して上下方向の移動が規制されていない。
【００８７】
各照明装置５の取付ベース６は、一又は複数のビス用孔６００（図５参照）を有している。ビス用孔６００は、取付ベース６の長さ方向における一か所にのみ形成されている。なお、ビス用孔６００は、取付ベース６の長さ方向において同じ位置に形成されるのであれば、両側片部６０に形成されてもよいし、両側片部６０のうちの一方の側片部６０にのみ形成されてもよい。
【００８８】
各ビス用孔６００には、取付ベース６の外側方から、固着具としてのビス７１が挿通されている。各ビス７１は、対応するホルダー５０にねじ込まれている。これによりホルダー５０は、取付ベース６の側片部６０に対して固定されている。各ホルダー５０は、対応する取付ベース６に対して長さ方向における一か所のみがビス７１により固定されるため、ビス７１により取付ベース６に固定された箇所以外の部分は、取付ベース６に対して上下にスライドできる。このため、取付ベース６とホルダー５０の熱による膨張率の違いによって取付ベース６又はホルダー５０が変形等することを抑制できる。
【００８９】
各照明装置５のホルダー５０及び導光部材５１は、図１に示すように、キャビネット本体３の天井部３０の前面及び底部３１の前面よりも前方に突出している。また、各照明装置５の表面カバー５７の前面は、前後方向において、収納空間３４を閉塞した各扉８の前面と略同じ位置（詳しくは僅かに後方位置）に配置されている。
【００９０】
キャビネット本体３の各凹部３７には、図６に示すように、対応する照明装置５の放熱板５６及び放熱板カバー５８が配置されている。各照明装置５の放熱板カバー５８は、キャビネット本体３の対応する凹部３７に嵌め込まれている。
【００９１】
各放熱板カバー５８の各掛止部５８３の下端（詳しくは爪部５８４の下端）は、図７に示すように、キャビネット本体３の対応する凹部３７の底面に当たって接している、或いはキャビネット本体３の対応する凹部３７の底面の近傍に配置されている。これにより、各放熱板５６の下面と対応する凹部３７の底面との間には、放熱板５６の直下に位置する空間１２（隙間）が形成されている。
【００９２】
各放熱板カバー５８の突出部５６０を除く前面部５８０と、対応する凹部３７の底面の前縁部との間には、図６に示す開口１０が形成されている。各放熱板５６の下側に位置する空間１２は、開口１０からキャビネット本体３の外方となる前方に開放されている。このため、各放熱板５６で生じた熱は、対応する空間１２から開口１０を介してキャビネット本体３の外部となる前側に排出される。
【００９３】
各取付ベース６の収納溝６２内における導光部材５１の後側には、図１に示す通気路７４が形成されている。各通気路７４は、取付ベース６の収納溝６２とホルダー５０の後面部とで囲まれた空間である。各通気路７４は、上下方向に延び、縦長である。各通気路７４は、収納溝６２の上下方向の略全長に亘っている。
【００９４】
図１及び図８に示すように、各ホルダー５０の下端部に設けられた下キャップ５２は、取付ベース６の後片部６１よりも隙間７３を介して前方に位置している。各通気路７４の下端部は、隙間７３を介してキャビネット本体３の外方（詳しくは下方）に開放されている。これにより、各通気路７４の下端部は、キャビネット本体３の下方の空間に通じている。
【００９５】
キャビネット本体３の外部に存在する空気は、隙間７３を介して各通気路７４に導入される。すなわち、各ホルダー５０の下端部に設けられた隙間７３は、対応する通気路７４にキャビネット本体３の外部の空気を取り入れるための吸気口となる。
【００９６】
各通気路７４の上端部は、放熱板５６の直下に位置する空間１２に通じている。各通気路７４の上端部を、空間１２に通じさせるには、例えば図７に示すように、ホルダー５０上に配置された上キャップ５３の後部が、ホルダー５０の上端面よりも隙間７２を介して上方に配置される。この場合、ホルダー５０の上端面と上キャップ５３の後部との間に隙間７２が形成され、通気路７４の上端部は、隙間７２を介して放熱板５６直下の空間１２に通じる。このため、通気路７４に存在する空気は、通気路７４を上昇した後、隙間７２を介して空間１２に導入され、この後、空間１２から開口１０を介してキャビネット本体３の前方に導出される。なお、通気路７４の上端部を空間１２に通じさせる方法はこれに限られない。例えば、上キャップ５３に通気路７４と空間１２を通じさせる孔を形成し、この孔により通気路７４の上端部が空間１２に通じてもよい。
【００９７】
キャビネット１が有する複数の扉８（図２参照）は、キャビネット本体３の前面に設けられている。本実施形態では、図３に示すように、キャビネット本体３の収納空間３４毎に扉８が設けられている。
【００９８】
本実施形態の各扉８は、前面が鏡面となった鏡扉である。すなわち、本実施形態のキャビネット１は、前面を構成する扉８を鏡扉としたミラーキャビネットである。複数の扉８は、キャビネット本体３の前面において照明ユニット４と左右に並べて取り付けられている。
【００９９】
各扉８の吊元となる側端部は、上端部が蝶番１１を介してキャビネット本体３の天井部３０の前面に取り付けられている。また、各扉８の吊元となる側端部は、下端部が蝶番１１を介してキャビネット本体３の底部３１の前面に取り付けられている。
【０１００】
このように各扉８は蝶番１１を介してキャビネット本体３に取り付けられるため、対応する収納空間３４を閉塞する位置から収納空間３４の前方を開放する位置まで左右に回動可能になっている。なお、収納空間３４を閉塞する位置に配置された各扉８は、キャビネット本体３の天井部３０及び底部３１の前側に配置され、天井部３０及び底部３１の前側を覆う。
【０１０１】
以下、特に区別する場合には、キャビネット１の右側に配置された扉８を扉８Ａと記載する。また、キャビネット１の左右方向の中央に配置された扉８を扉８Ｂと記載する。また、キャビネット１の左側に配置された扉８を扉８Ｃと記載する。
【０１０２】
各扉８を閉じたとき、中央の扉８Ｂと右側の扉８Ａの間、並びに中央の扉８Ｂと左側の扉８Ｃの間には、隙間１５（図１参照）が形成される。これら隙間１５には、図１に示すように、照明装置５の取付ベース６から前方に突出した前端部が配置される。すなわち、隙間１５には、表面カバー５７の全体、ホルダー５０の前端部、及び導光部材５１の前部が配置される。
【０１０３】
キャビネット１に設けられた各照明装置５は、光源５４１が発光することで導光部材５１からキャビネット１の前側に光を発する。具体的に光源５４１から下向きに照射された光は、導光部材５１の上端面である入光部５１０から導光部材５１に導入され、この後、導光部材５１の下端側に向かう過程で反射部５１１において拡散して前側に反射する。この光は出光部５１２から前側に出射し、隣り合う扉８の間に位置する表面カバー５７の前片部５７０を透してキャビネット１の前側に出射する。これにより、扉８の前面に設けられた鏡面を利用する利用者は、出光部５１２から表面カバー５７を透して出射された光を利用して、化粧や洗面等を行うことができる。
【０１０４】
各照明装置５の光源５４１が発光したときには、各照明装置５の光源５４１及び回路基板５４０が発熱する。この熱は放熱シート５５を介して、キャビネット本体３の外面である上面に設けられた放熱板５６に伝わり、放熱板５６において放散される。
【０１０５】
また、本実施形態のキャビネット１の左右の扉８Ｃ，８Ａは、キャビネット１の品番毎に異なる。このため、キャビネット１は、左右の扉８Ｃ，８Ａとして、前後厚みの異なる、複数種類の扉８０，８１を備えている。そして、左右の扉８Ｃ，８Ａとして、キャビネット１毎に厚みの異なる扉８０，８１が用いられる。なお、同じキャビネット１における左右の扉８Ｃ，８Ａ，は、厚みが同じ同種の扉が用いられる。
【０１０６】
また、本実施形態のキャビネット１は、取付ベース６として、前後長さが異なる、複数種類の取付ベース６ａ，６ｂを備えている。そして、各照明ユニット４が有する取付ベース６には、複数種類の取付ベース６ａ，６ｂの中から、キャビネット１毎に異なる左右の扉８Ｃ，８Ａの厚みに応じて選択された取付ベース６ａ又は取付ベース６ｂが用いられる。
【０１０７】
本実施形態では、左右の扉８Ｃ，８Ａとして、図１に示す厚みの小さな扉８０（以下、第１扉８０）、又は図１１に示す厚みの大きな扉８１（以下、第２扉８１）が用いられる。このため、左右の扉８Ｃ，８Ａとして、第１扉８０又は第２扉８１を選択することで、図１に示す第１扉８０を備えたキャビネット１と、図１１に示す第２扉８１を備えたキャビネット１を製造できる。
【０１０８】
詳細な図示は省略するが、図１に示す第１扉８０は、後面を構成するパネルに、前面を構成する鏡板が取り付けられて全体として一枚の板状に形成されている。第１扉８０は、
キャビネット１の右側の扉８Ａとして利用されるときには、閉じたときの左側が吊元側とされ、左側の扉８Ｃとして利用されるときには、閉じたときの右側が吊元側とされる。すなわち、右側の扉８Ａとして利用されるときには、閉じたときの左側の端部が蝶番１１を介してキャビネット本体３に取り付けられ、左側の扉８Ｃとして利用されるときには、閉じたときの右側の端部が蝶番１１を介してキャビネット本体３に取り付けられる。このため、キャビネット１の中央の扉８Ｂを閉じた状態で、左右の扉８Ｃ，８Ａを前側に回動することで、キャビネット本体３に設けられた三枚の扉８を三面鏡として利用できる。
【０１０９】
他方、図１１に示す厚みの大きな第２扉８１は、後扉体８３、蝶番８４、及び前扉体８５を有している。蝶番８４は、後扉体８３の側端部に取り付けられている。前扉体８５は、蝶番８４を介して後扉体８３に縦軸回り（左右）に回動可能に取り付けられている。
【０１１０】
前扉体８５は第１扉８０と略同じ厚みである。前扉体８５の前面は鏡面である。前扉体８５は、図１１に示すように後面が後扉体８３の前面に沿った閉じ位置から、後扉体８３の前面より前方に離れた開き位置まで回動可能である。
【０１１１】
図示は省略するが、後扉体８３は、蝶番８４と反対側の側端部が蝶番１１を介してキャビネット本体３に取り付けられている。このため、後扉体８３と前扉体８５の開き方向は逆方向である。
【０１１２】
具体的には、第２扉８１は、キャビネット１の右側の扉８Ａとして利用されるときには、閉じたときの右側が吊元側とされて後扉体８３の右側が蝶番１１を介してキャビネット本体３に取り付けられる。また、第２扉８１は、キャビネット１の左側の扉８Ｃとして利用されるとき、閉じたときの左側が吊元側とされて後扉体８３の左側が蝶番１１を介してキャビネット本体３に取り付けられる。これにより、左右の扉８Ｃ，８Ａの後扉体８３を前方に開くことで、対応する収納空間３４を開放できる。また、キャビネット１の中央の扉８Ｂを閉じ、左右の扉８Ｃ，８Ａの後扉体８３を閉じた状態で、左右の扉８Ｃ，８Ａの前扉体８５を前方に開くことで、キャビネット本体３に設けられた三枚の扉８Ａ〜８Ｃを三面鏡として利用できる。つまり、第２扉８１をキャビネット１の左右の扉８Ｃ，８Ａとして利用することで、キャビネット１を両開き型三面鏡として利用できる。
【０１１３】
なお、第２扉８１は、右側の扉８Ａとして利用されるときに後扉体８３の左側が蝶番１１を介してキャビネット本体３に取り付けられ、左側の扉８Ｃとして利用されるときに後扉体８３の右側が蝶番１１を介してキャビネット本体３に取り付けられてもよい。また、本実施形態では、第２扉８１を、後扉体８３とこれに回動可能に取り付けられた前扉体８５とを有する両開き型の扉としたが、第２扉８１は一枚板状の扉であってもよい。
【０１１４】
ここで、本実施形態では、キャビネット１の左右の扉８Ｃ，８Ａとして扉８ａ及び第２扉８１のいずれの扉８が用いられる場合であっても、キャビネット１の中央の扉８Ｂは、第１扉８０と同じ厚みの扉が用いられる。
【０１１５】
また、中央の扉８Ｂは、蝶番１１を変更等することで、扉８Ａ，８Ｃが第１扉８０又は第２扉８１のいずれであっても、各扉８を閉じたときに扉８Ｂの前面と扉８Ａ，８Ｃの前面とが前後方向において同じ位置に配置されるようキャビネット本体３に取り付けられる。なお、キャビネット１の中央の扉８Ｂとしては、左右の扉８Ｃ，８Ａと同種の扉を利用しても構わない。
【０１１６】
また、本実施形態では、取付ベース６として、図１に示す前後長さの短い取付ベース６ａ（以下、第１取付ベース６ａ）と、図１１に示す前後長さの長い取付ベース６ｂ（以下、第２取付ベース６ｂ）の二種類が用意される。
【０１１７】
第１取付ベース６ａと第２取付ベース６ｂは、上下長さ及び左右幅が同じである。第１取付ベース６ａは第２取付ベース６ｂと比べて、後片部６１の両側から前方に突出した両側片部６０の突出長さが短くなっている。
【０１１８】
図１に示す第１取付ベース６ａの規制部６３と、図１１に示す第２取付ベース６ｂの規制部６３は、前端までの前後方向の距離が略同じになる位置に形成されている。具体的に、図１に示す第１取付ベース６ａの両側片部６０に形成された掛止部６３０と、図１１に示す第２取付ベース６ｂの両側片部６０に形成された掛止部６３０は、同大同形の半球状に形成されている。すなわち、第１取付ベース６ａ及び第２取付ベース６ｂは、共通（同大同形）の掛止部６３０を有している。このため、両取付ベース６ａ，６ｂには、共通（同大同形）の照明装置５のホルダー５０を引っ掛けて固定できる。
【０１１９】
また、第１取付ベース６ａの後面から第１取付ベース６ａの掛止部６３０までの前後方向の距離Ｌａ（図１参照）は、第２取付ベース６ｂの後面から第２取付ベース６ｂの掛止部６３０までの前後方向の距離Ｌｂ（図１１参照）よりも短くなっている。具体的に、距離Ｌａと距離Ｌｂの差ΔＬ（ΔＬ＝Ｌｂ−Ｌａ）は、第１扉８０の厚みｔａと第２扉８１の厚みｔｂの差Δｔ（Δｔ＝ｔｂ−ｔａ）と略同じ寸法になっている。
【０１２０】
また、第２取付ベース６ｂにあっては、後止部６３１が各側片部６０に形成されている。第２取付ベース６ｂの各後止部６３１は、取付ベース６ｂの内側方に向かって突出している。
【０１２１】
このように本実施形態では、第１取付ベース６ａの規制部６３と、第２取付ベース６ｂの規制部６３とが、前端までの前後方向の距離が略同じになる位置に形成されている。このため、キャビネット本体３に第１扉８０及び第２扉８１のいずれの扉８を取り付けた場合にも、照明装置５の発光部分となる表面カバー５７の閉じられた扉８の前面に対する前後方向の位置を、略一致させることができる。
【０１２２】
また、図示は省略するが、第１取付ベース６ａに形成されたビス用孔６００と、第２取付ベース６ｂに形成されたビス用孔６００は同大同形の孔である。このため、第１取付ベース６ａに形成されたビス用孔６００と、第２取付ベース６ｂに形成されたビス用孔６００には、同一（同大同形）のビス７１を挿通できるようになっている。
【０１２３】
ただし、第１取付ベース６ａの後面から第１取付ベース６ａのビス用孔６００までの前後方向の距離と、第２取付ベース６ｂの後面から第２取付ベース６ｂのビス用孔６００までの前後方向の距離とには差がある。この差は、第１扉８０の厚みｔａと第２扉８１の厚みｔｂの差Δｔと略同じ寸法である。このため、照明装置５は、共通のビス７１を用いて第１取付ベース６ａ及び第２取付ベース６ｂのいずれにも固定できるようになっている。つまり、照明装置５は第１取付ベース６ａ及び第２取付ベース６ｂのいずれにも、同様に引っ掛けて固定できるようになっている。
【０１２４】
以上説明した本実施形態のキャビネット１は、以下に示す第１の特徴を有する。すなわち、キャビネット１は、キャビネット本体３と、扉８と、照明ユニット４とを備える。キャビネット本体３には、前方に開口した収納空間３４が形成される。扉８は、キャビネット本体３の前側に設けられて収納空間３４を開閉可能に閉塞する。照明ユニット４は、キャビネット本体３の前側に扉８と並べて設けられる。照明ユニット４が、取付ベース６と、照明装置５とを有する。取付ベース６は、キャビネット本体３に対して取り付けられる。照明装置５は、取付ベース６の前側に取り付けられる。
【０１２５】
このキャビネット１は、扉８の厚みに応じて取付ベース６を変更するだけで、共通の照明装置５を扉８の厚みに応じた前後位置に配置できる。このため、扉８の厚みによって、照明装置５が扉８よりも前側に大きく突出したり、扉８よりもかなり後側に配置されたりすることを防止できる。また、扉８の厚みにかかわらず、照明装置５の扉８の前面に対する前後位置を略一定にして、照明したときに利用者に対して同様の印象を与えることもできる。また、共通の照明装置５を利用できるので、キャビネット１のコストの増加を抑えることができる。
【０１２６】
また、第１の特徴を有するキャビネット１は、以下に示す第２の特徴を有することが好ましい。キャビネット１は、取付ベース６が、異なる前後長さを有する複数種類の取付ベース６の中から、キャビネット本体３に設けられる扉８に応じて選択される。このキャビネット１にあっては、異なる前後長さを有する複数種類の取付ベース６の中から選択された取付ベース６を設けることで、扉８に応じた位置に照明装置５を設けることができる。
【０１２７】
また、第１の特徴又は第２の特徴を有するキャビネット１は、以下に示す第３の特徴を有することが好ましい。照明装置５は前後方向と直交する方向に延びる長形である。取付ベース６は照明装置５に沿って延びる長形である。取付ベース６は前方に開口した収納溝６２を有する。照明装置５が収納溝６２の前側から嵌め込まれる。このキャビネット１は、照明装置５を取付ベース６の収納溝６２に前側から嵌め込んで簡単に取り付けることができる。
【０１２８】
また、第３の特徴を有するキャビネット１は、以下に示す第４の特徴を有することが好ましい。取付ベース６は規制部６３を有する。照明装置５は規制部６３によって前後方向の移動が規制される。例えば長形の照明装置５をねじだけで固定する場合、照明装置５の長さ方向の両端及び中央をねじで固定する等、照明装置５の長さ方向の多くの箇所をねじで固定する必要がある。しかし、第３の特徴を有するキャビネット１は、規制部６３によって照明装置５の前後方向の移動が規制できるため、ねじによって固定される箇所を少なくでき、容易に照明装置５をキャビネット１に取り付けることができる。
【０１２９】
また、第４の特徴を有するキャビネット１は、以下に示す第５の特徴を有することが好ましい。照明装置５は規制部６３に対して取付ベース６の長さ方向にスライド可能である。照明装置５を取付ベース６に固定した場合、照明装置５と取付ベース６とが熱による膨張率の違いによって照明装置５又は取付ベース６がゆがむ等する恐れがある。しかし、第５の特徴を有するキャビネット１のように照明装置５が規制部６３に対して取付ベース６の長さ方向にスライド可能であると、照明装置５と取付ベース６の熱による収縮率の違いを吸収することができて、前記ゆがみの発生を抑制できる。
【０１３０】
また、第３〜第５のいずれかの特徴を有するキャビネット１は、以下に示す第６の特徴を有することが好ましい。取付ベース６は、取付ベース６よりも長く且つ長さ方向と直交する断面の形状が取付ベースと同一の長尺部材を切断して形成される。このキャビネット１にあっては、断面形状が取付ベース６と同一で且つ取付ベース６よりも長い部材を切断して、所望の長さを有する取付ベース６を形成できる。このため、キャビネット１のサイズ等に応じて、低コストで取付ベース６を製造できる。
【０１３１】
なお、第２〜第６の特徴は第１の特徴に任意に付加される特徴である。
【０１３２】
また、本実施形態では、２種類の取付ベース６の中から選択された取付ベース６を設けるようにしたが、キャビネット１の種類数（扉８の種類数）に応じて、前後長さの異なる３種類以上の取付ベース６の中から選択された取付ベース６を用いるようにしてもよい。また、扉８の異なる複数種類のキャビネット１は、共通のキャビネット本体３を備えたものであってもよい。つまり、この場合は、キャビネット本体３に対して厚みの異なる複数種類の扉８の中から選択された扉８が取り付けられ、この扉８の厚みに対応した取付ベース６が用いられることとなる。また、本実施形態では、前後長さの異なる取付ベース６を付け替えるようにしたが、取付ベース６の前後長さを調節可能として、複数種類の扉８に対応できるようにしても構わない。
【０１３３】
また、本実施形態では、各通気路７４の下端部がキャビネット１の下方に開口しているが、キャビネット本体３の外部に通じるものであれば、例えばキャビネット１の前方に開口してもよい。
【０１３４】
また、本実施形態では、キャビネット本体３の上面と放熱板５６の下面との間に形成された空間１２がキャビネット本体３の前方に開口している。しかし、空間１２はキャビネット本体３の外部に通じるものであれば、側方や後方等の前方以外の方向に開口してもよい。
【０１３５】
また、本実施形態ではキャビネット１に二つの照明装置５を設けたが、キャビネット１には照明装置５を一つだけ設けてもよい。また、キャビネット１に設けられる扉８は、３枚に限られるものではない。また、扉８は鏡扉以外の扉であってもよく、また、扉８を省略したキャビネットであってもよい。
【０１３６】
また、本実施形態では、照明装置５をビス７１により取付ベース６に固定したが、照明装置５をビス７１を用いずに取付ベース６に固定してもよい。例えばこの場合、照明装置５は、各被掛止部５０４を、取付ベース６の対応する掛止部６３０と、対応する後止部６３１の間に強く嵌め込むことでのみ取付ベース６に固定することが考えられる。また、この固定に加えて、キャビネット本体３の底部３１の一部で照明装置５を支持することも考えられる。
【０１３７】
また、本実施形態の照明装置５及び取付ベース６は、上下方向に延びる長形であるが、照明装置５及び取付ベース６の長さ方向は上下方向に限られず、例えば左右方向等、前後方向と直交する方向であってもよい。
【０１３８】
また、この他、キャビネット１は、本発明の趣旨を逸脱しない範囲であれば、適宜変更可能である。
【符号の説明】
【０１３９】
１  キャビネット
３  キャビネット本体
４  照明ユニット
６  取付ベース
６ａ  前後長さの小さい取付ベース
６ｂ  前後長さの大きい取付ベース
８  扉
８０  第１扉
８１  第２扉
３４  収納空間
【図１】
2014223282.tif 000003
【図２】
2014223282.tif 000004
【図３】
2014223282.tif 000005
【図４】
2014223282.tif 000006
【図５】
2014223282.tif 000007
【図６】
2014223282.tif 000008
【図７】
2014223282.tif 000009
【図８】
2014223282.tif 000010
【図９】
2014223282.tif 000011
【図１０】
2014223282.tif 000012
【図１１】
2014223282.tif 000013